Podtech/llm-jp-corpus-v4-ja_patent huggingface dataset:
【手続補正書】
【提出日】平成20年8月14日(2008.8.14)
【手続補正１】
【補正対象書類名】特許請求の範囲
【補正対象項目名】全文
【補正方法】変更
【補正の内容】
【特許請求の範囲】
【請求項１】
VH CDR1が配列番号５または配列番号１３の配列からなり、
VH CDR2が配列番号６の配列からなり、そして
VH CDR3が配列番号７の配列からなる、
VH CDR1、VH CDR2およびVH CDR3を含む抗体VHドメインと、
VL CDR1が配列番号８の配列からなり、
VL CDR2が配列番号９の配列からなり、そして
VL CDR3が配列番号１０の配列からなる、
VL CDR1、VL CDR2およびVL CDR3を含む抗体VLドメインと、
を含み、かつヒトテネイシンCに結合する、単離された特異的結合メンバー。
【請求項２】
VH CDR1が配列番号５の配列からなる、請求項１に記載の特異的結合メンバー。
【請求項３】
配列番号２の配列からなる抗体VHドメイン、または配列番号２の配列内に５個未満のアミノ酸の改変を有するVHドメインを含む、請求項１または２に記載の特異的結合メンバー。
【請求項４】
配列番号１２のVHドメイン配列、または配列番号１２の配列内に５個未満のアミノ酸の改変を有するVHドメインを含む、請求項１に記載の特異的結合メンバー。
【請求項５】
配列番号５０のVLドメイン配列、または配列番号４または配列番号５０の配列内に５個未満のアミノ酸の改変を有するVLドメインを含む、請求項１〜４のいずれか１項に記載の特異的結合メンバー。
【請求項６】
配列番号２のVHドメイン配列、および配列番号５０のVLドメイン配列を含む、請求項３に記載の特異的結合メンバー。
【請求項７】
配列番号２のアミノ酸配列、または配列番号２の配列内に５個未満のアミノ酸の改変を有するアミノ酸配列を有する抗体VHドメイン、および
配列番号５０のアミノ酸配列、または配列番号５０の配列内に５個未満のアミノ酸の改変を有するアミノ酸配列を有する抗体VLドメイン、
を含む、ヒトテネイシンCに結合する単離された特異的結合メンバーであって、
該特異的結合メンバーが、配列番号１２の配列からなるD5 VHドメインおよび配列番号５０の配列からなるVLドメインを含む抗体のアフィニティと等しいかまたはそれより大きなアフィニティでテネイシンCに結合する、前記特異的結合メンバー。
【請求項８】
小免疫タンパク質（SIP）を含む請求項６または７に記載の特異的結合メンバーであって、該SIPが、ヒト免疫グロブリンEのCH4ドメインと融合された、配列番号２のVHドメイン配列と配列番号５０のVLドメイン配列とを含むscFv分子を含む、前記特異的結合メンバー。
【請求項９】
SIPがホモ二量体である、請求項８に記載の特異的結合メンバー。
【請求項１０】
scFv抗体分子を含む、請求項１〜７のいずれか１項に記載の特異的結合メンバー。
【請求項１１】
抗体定常領域を含む、請求項１〜７のいずれか１項に記載の特異的結合メンバー。
【請求項１２】
全抗体を含む、請求項９に記載の特異的結合メンバー。
【請求項１３】
検出可能な標識またはサイトカインに結合されている、請求項１〜１２のいずれか１項に記載の特異的結合メンバー。
【請求項１４】
特異的結合メンバーのVHドメインまたはVLドメインが、融合タンパク質として、ペプチドリンカーを介してサイトカインに結合されている、請求項１３に記載の特異的結合メンバー。
【請求項１５】
サイトカインがIL2である、請求項１３または１４に記載の特異的結合メンバー。
【請求項１６】
細胞毒性物質に結合されている、請求項１〜１３のいずれか１項に記載の特異的結合メンバー。
【請求項１７】
請求項１〜１２のいずれか１項に記載の特異的結合メンバーまたは該特異的結合メンバーの抗体VHもしくはVLドメインをコードするヌクレオチド配列を含んでなる単離された核酸。
【請求項１８】
請求項１５に記載の核酸で形質転換された宿主細胞。
【請求項１９】
前記特異的結合メンバーまたは抗体VHもしくはVLドメインの製造方法であって、該特異的結合メンバーまたは抗体VHもしくはVLドメインの製造のための条件下で請求項１８に記載の宿主細胞を培養することを含んでなる方法。
【請求項２０】
前記特異的結合メンバーまたは抗体VHもしくはVL可変ドメインを単離および／または精製することを更に含む、請求項１９に記載の方法。
【請求項２１】
前記特異的結合メンバーまたは抗体VHもしくはVL可変ドメインを、検出可能な標識または細胞毒性物質に結合させることを含んでなる、請求項２０に記載の方法。
【請求項２２】
前記標識が放射性核種または発蛍光団である、請求項２１に記載の方法。
【請求項２３】
前記特異的結合メンバーまたは抗体VHもしくはVL可変ドメインを、少なくとも１つの追加的成分を含む組成物中に製剤化することを更に含む、請求項１９〜２２のいずれか１項に記載の方法。
【請求項２４】
前記特異的結合メンバーを、テネイシンCまたはテネイシンCの断片にin vitroで結合させることを更に含む、請求項１９〜２３のいずれか１項に記載の方法。
【請求項２５】
請求項１〜１６のいずれか１項に記載の特異的結合メンバーを、テネイシンCまたはテネイシンCの断片にin vitroで結合させることを含む方法。
【請求項２６】
特異的結合メンバーの結合量を測定することを含む、請求項２４または２５に記載の方法。
【請求項２７】
治療または診断方法において使用するための、請求項１〜１６のいずれか１項に記載の特異的結合メンバー。
【請求項２８】
増殖性障害の治療またはin vivo診断方法において使用するための医薬の製造における、請求項１〜１６のいずれか１項に記載の特異的結合メンバーの使用。
【手続補正２】
【補正対象書類名】明細書
【補正対象項目名】００１１
【補正方法】変更
【補正の内容】
【００１１】
いくつかの実施形態においては、特異的結合メンバーはテネイシンCのA1ドメインに結合しうる。適当な特異的結合メンバーは、
配列番号2の4A1-F16 VHドメイン、配列番号12の3A1-D5 VHドメイン、ならびに配列番号5、配列番号6、配列番号7および配列番号13から選ばれるアミノ酸配列を有する1以上のVH CDRを含むVHドメインよりなる群から選ばれる抗体VHドメイン、ならびに／または
配列番号4または配列番号50のVLドメインならびに配列番号8、配列番号9および配列番号10から選ばれるアミノ酸配列を有する1以上のVL CDRを含むVLドメインよりなる群から選ばれる抗体VLドメイン
を含みうる。
【手続補正３】
【補正対象書類名】明細書
【補正対象項目名】００１３
【補正方法】変更
【補正の内容】
【００１３】
例えば、適当な特異的結合メンバーは、配列番号4もしくは配列番号50の4A1-F16/3A1-D5 VLドメインおよび／または配列番号2の4A1-F16 VHドメインまたは配列番号12の3A1-D5 VHドメインを含みうる。
【手続補正書】
【提出日】平成20年11月7日(2008.11.7)
【手続補正１】
【補正対象書類名】特許請求の範囲
【補正対象項目名】全文
【補正方法】変更
【補正の内容】
【特許請求の範囲】
【請求項１】
構造マトリックスを、幹細胞または前駆細胞上に発現されるレセプタである該レセプタの単離されたリガンドまたは該レセプタへの結合ドメインを含むその断片でコートする工程を含む、インビボ埋入用構造骨格の作製方法。
【請求項２】
構造骨格が心臓の弁または血管構造骨格である、請求項１に記載の方法。
【請求項３】
構造マトリックスが生分解性である、請求項１または２に記載の方法。
【請求項４】
前記リガンドが、間質由来因子１、幹細胞因子、ＶＣＡＭ−１、フィブリノゲンのＰ１領域およびフィブリノゲンのＰ２領域からなる群より選択される、請求項１〜３いずれか１項に記載の方法。
【請求項５】
構造マトリックスを化学誘引物質因子または動員因子でコートする工程を含まない、請求項１〜４いずれか１項に記載の方法。
【請求項６】
構造マトリックスを１種類以上の化学誘引物質因子および／または動員因子でコートする工程をさらに含む、請求項１〜５いずれか１項に記載の方法。
【請求項７】
構造骨格のマトリックスを、該リガンドまたはその断片と構造マトリックス間の相互作用を助長する１種類以上のタンパク質で予備コートする工程をさらに含む、請求項１〜６いずれか１項に記載の方法。
【請求項８】
該リガンドまたはその断片と、構造マトリックスとの相互作用を助長するタンパク質とをマトリックス上に融合タンパク質としてコートする、請求項７に記載の方法。
【請求項９】
該助長タンパク質が、フィブロネクチン、コラーゲンおよびフィブリノゲンからなる群より選択される、請求項７または８に記載の方法。
【請求項１０】
該リガンドまたはその断片が前記構造マトリックスにリンカーアームによってコートされる、請求項１〜９いずれか１項に記載の方法。
【請求項１１】
構造マトリックスが、非架橋プロテーゼまたは無細胞化大動脈根である、請求項１〜１０いずれか１項に記載の方法。
【請求項１２】
構造マトリックスを該単離されたリガンドまたはその断片でコートする工程が、化学的架橋によって、または該リガンドまたはその断片を含む溶液を該マトリックスに含浸させることにより行なわれる、請求項１〜１１いずれか１項に記載の方法。
【請求項１３】
構造マトリックスを、幹細胞または前駆細胞上に発現されるレセプタである該レセプタの単離されたリガンドまたは該レセプタへの結合ドメインを含むその断片でコートする工程から本質的になる、インビボ埋入用構造骨格の作製方法。
【請求項１４】
構造マトリックスを含むインビボ埋入用構造骨格において、前記マトリックスが、幹細胞または前駆細胞上に発現されるレセプタである１種類以上の該レセプタの単離されたリガンドまたは該レセプタへの結合ドメインを含むその断片でコートされることを特徴とするインビボ埋入用無細胞構造骨格。
【請求項１５】
前記構造骨格が血管または心臓の弁の構造骨格である、請求項１４に記載の構造骨格。
【請求項１６】
前記リガンドが、間質由来因子１、幹細胞因子、ＶＣＡＭ−１、フィブリノゲンのＰ１領域およびフィブリノゲンのＰ２領域からなる群より選択される、請求項１４または１５に記載の構造骨格。
【請求項１７】
化学誘引物質因子および／または動員因子をさらに含む、請求項１４〜１６いずれか１項に記載の構造骨格。
【請求項１８】
該リガンドまたはその断片と構造マトリックス間の相互作用を助長する１種類以上のタンパク質でさらにコートされた、請求項１４〜１７いずれか１項に記載の構造骨格。
【請求項１９】
構造マトリックスが、非架橋プロテーゼまたは無細胞化大動脈根である、請求項１４〜１８いずれか１項に記載の構造骨格。
【請求項２０】
該リガンドまたはその断片が構造マトリックスに化学的に架橋される、請求項１４〜１９いずれか１項に記載の構造骨格。
【請求項２１】
移植片用の構造マトリックスと、幹細胞または前駆細胞上に発現されるレセプタである１種類以上の該レセプタの単離されたリガンドまたは該レセプタへの結合ドメインを含むその断片とを含む、構造骨格の発達のためのキット。
【請求項２２】
移植片が血管または心臓の弁の形態である、請求項２１に記載のキット。
【請求項２３】
リガンドが、間質由来因子１、幹細胞因子、ＶＣＡＭ−１、フィブリノゲンのＰ１領域およびフィブリノゲンのＰ２領域からなる群より選択される、請求項２１または２２に記載のキット。
【請求項２４】
幹細胞または前駆細胞上に発現されるレセプタである該レセプタの単離されたリガンドまたは該レセプタへの結合ドメインを含むその断片の、埋入可能なデバイスの作製のための使用。
【請求項２５】
デバイスが心臓弁または血管移植片である、請求項２４に記載の使用。
【請求項２６】
ａ）構造骨格を請求項１４に従って動物またはヒトの身体内に埋入する工程、
ｂ）前記構造骨格への細胞の付着を可能にする工程、および
ｃ）前記動物またはヒトから前記構造骨格を回収する工程、
を含む、幹細胞および／または前駆細胞の富化のための方法。
【請求項２７】
幹細胞または前駆細胞上に発現されるレセプタである該レセプタの単離されたリガンドまたは該レセプタへの結合ドメインを含むその断片の、疾患状態もしくは損傷状態の組織、管、または器官の処置のための構造骨格の製造のための使用。
【請求項２８】
疾患状態もしくは損傷状態の組織、管、または器官の処置のための、幹細胞または前駆細胞上に発現されるレセプタである１種類以上の該レセプタの単離されたリガンドまたは該レセプタへの結合ドメインを含むその断片でコートされる構造マトリックスを含む、構造骨格。
【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
支持構造と、以下の治療物質
【化１】
2008518671.tif 000001
またはその薬学的に許容可能な塩もしくはプロドラッグと、抗増殖剤、抗血小板剤、抗炎症剤、抗血栓剤、血栓溶解剤、細胞毒性剤、サイトカインまたはケモカイン結合を阻害する薬剤、細胞脱分化阻害剤、抗脂肪性浮腫剤、マトリックスメタロプロテイナーゼ阻害剤、および細胞増殖抑制薬物からなる群より選択される少なくとも１種の他の治療物質とを含む、医療用具。
【請求項２】
薬学的に許容可能なキャリアまたは賦形剤を含むかまたは支持することが可能である支持構造を含む医療用具であって、前記キャリアまたは賦形剤は以下の治療物質
【化２】
2008518671.tif 000002
またはその薬学的に許容可能な塩もしくはプロドラッグと、抗増殖剤、抗血小板剤、抗炎症剤、抗血栓剤、血栓溶解剤、細胞毒性剤、サイトカインまたはケモカイン結合を阻害する薬剤、細胞脱分化阻害剤、抗脂肪性浮腫剤、マトリックスメタロプロテイナーゼ阻害剤、および細胞増殖抑制薬物からなる群より選択される少なくとも１種の他の治療物質とを含む、医療用具。
【請求項３】
前記抗増殖剤が抗有糸分裂剤である、請求項１又は請求項２に記載の医療用具。
【請求項４】
前記抗有糸分裂剤が、ビンカアルカロイド、抗有糸分裂性アルキル化剤、および抗有糸分裂性代謝産物からなる群より選択される、請求項３に記載の医療用具。
【請求項５】
前記抗血小板剤が、血小板の接着を阻害する薬剤、血小板の凝集を阻害する薬剤、および血小板の活性化を阻害する薬剤からなる群より選択される、請求項１又は請求項２に記載の医療用具。
【請求項６】
前記抗炎症性薬剤がエストラジオールである、請求項１又は請求項２に記載の医療用具。
【請求項７】
前記抗炎症性薬剤がデキサメタゾンである、請求項１又は請求項２に記載の医療用具。
【請求項８】
前記支持構造が、脈管構造中で使用される、冠状動脈ステント、末梢ステント、カテーテル、動静脈移植片、バイパス移植片、および薬物送達バルーンからなる群より選択される、請求項１又は請求項２に記載の医療用具。
【請求項９】
前記支持構造が前記治療物質、その薬学的に許容可能な塩もしくはプロドラッグ、及び少なくとも一種の他の治療物質を含むコーティングをさらに含む、請求項１又は請求項２に記載の医療用具。
【請求項１０】
前記コーティングがポリマー性である、請求項８に記載の医療用具。
【請求項１１】
前記ポリマー性コーティングが生物安定性である、請求項１０に記載の医療用具。
【請求項１２】
前記ポリマー性コーティングが生物分解性である、請求項１０に記載の医療用具。
【請求項１３】
前記支持構造が、治療物質を含むポリマー性フレームワークを含む、請求項１又は請求項２に記載の医療用具。
【請求項１４】
前記ポリマー性フレームワークが生物分解性である、請求項１３に記載の医療用具。
【請求項１５】
前記抗脂肪性浮腫剤がフェノフィブラートである、請求項１又は請求項２に記載の医療用具。
【請求項１６】
薬学的に許容可能なキャリアまたは賦形剤を含むかまたは支持することが可能である支持構造を含む医療用具であって、前記キャリアまたは賦形剤は前記治療物質またはその薬学的に許容可能な塩もしくはプロドラッグと、少なくとも１種の他の治療物質とを含む、請求項１に記載の医療用具。
【請求項１７】
前記マトリックスメタロプロテイナーゼ阻害剤がバチミスタットである、請求項１又は請求項２に記載の医療用具。
【請求項１８】
前記治療物質が
【化３】
2008518671.tif 000003
またはその薬学的に許容可能な塩もしくはプロドラッグである、請求項１に記載の医療用具。
【請求項１９】
前記治療物質が
【化４】
2008518671.tif 000004
またはその薬学的に許容可能な塩もしくはプロドラッグである、請求項１に記載の医療用具。
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
ネック通路を取り囲んでいるネック部を有している薬剤アンプルに注射器を固定するためのクリップであって、
基部と、
前記基部から突出しているアンプル係合部と、
前記注射器を前記クリップに着脱可能に装着するための注射器係合部とを備えており、
前記アンプル係合部が、前記通路内に受容される突起部であり、前記アンプルを前記クリップに装着するために、前記ネック部により弾性的に圧縮されて前記ネック部と係合するように構成されてなる、クリップ。
【請求項２】
前記注射器係合部が、前記注射器のうちの一部分が着脱可能に保持されるように設置される前記基部内の凹部である、請求項１記載のクリップ。
【請求項３】
前記基部が、前記突起部が隣に配置されている第一の端部と、該第一の端部から間隔をおいて設けられている第二の端部を有し、該第二の端部が前記凹部を有してなる、請求項２記載のクリップ。
【請求項４】
前記突起部は、該突起部が前記ネック部にしっかりとかつ着脱可能に係合することを補助するための複数のかぎ状突起を有してなる、請求項１乃至３のうちのいずれか一つに記載のクリップ。
【請求項５】
前記突起部が、前記ネック部との係合により互いの方向に向かって弾性的に押圧される２本の細長いアームを形成するように長手方向に沿って二股に分けられてなる、請求項１乃至４のうちのいずれか一つに記載のクリップ。
【請求項６】
前記突起部が、前記ネック部により弾性的に押圧されてひとつに集まる複数の細長いアームにより形成されてなる、請求項１乃至５のうちのいずれか一つに記載のクリップ。
【請求項７】
前記注射器係合部が、前記注射器のうちの一部分が設置される円弧状のソケットである、請求項１記載のクリップ。
【請求項８】
前記突起部が最初の突起部であり、前記クリップが少なくとも１つのさらなる突起部を備えてなり、前記凹部が前記クリップの２つの突起部の間の位置に設けられてなる、請求項１記載のクリップ。
【請求項９】
前記クリップが前記ネック部を外から係合する複数のアームを備えてなる、請求項１乃至８のうちのいずれか一つに記載のクリップ。
【請求項１０】
前記基部がおおむね平坦であり、前記突起部が前記基部に対しておおむね直角方向に向かって延びてなる、請求項１乃至９のうちのいずれか一つに記載のクリップ。
【請求項１１】
開口にネック部を有した薬剤アンプルを注射器に固定するためのクリップであって、
前記ネック部内に受容されて前記アンプルを装着するよう構成されたアンプル係合部を有していることを特徴とするクリップ。
【請求項１２】
前記クリップはおおむね平坦な基部を有し、前記アンプル係合部は前記基部に対しておおむね直角方向に向かって延びる突起部である、請求項１１に記載のクリップ。
【請求項１３】
前記基部が、前記クリップを前記注射器に着脱可能に装着するための注射器係合部を有している、請求項１１又は１２に記載のクリップ。
【請求項１４】
前記基部は弾性材料から形成され、前記注射器係合部は、締まり嵌め式又はスナップ式によって前記注射器の一部分を受容するよう形成され且つ配置される前記基部内の凹部であり、請求項１３に記載のクリップ。
【請求項１５】
アンプル係合部を有したクリップを用いて薬剤アンプルを注射器に固定する方法であって、
前記薬剤アンプルの開口内へと前記アンプル係合部を挿入し、前記クリップを前記注射器に装着する、ことを特徴とする方法。
【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
横支持具（４）と、２つの関節面支持具（１）と、２つの関節面（３）とを含む横支持脛骨プラトーであって、
前記関節面（３）が、形態適合的な方法で前記横支持具（４）に接続される前記関節面支持具（１）に、前方から別個に固定可能であること、
を特徴とする横支持脛骨プラトー。
【請求項２】
請求項１に記載の横支持脛骨プラトーにおいて、上記関節面支持具（１）が支持ねじ（２）によって上記横支持具（４）に取り付けられることを特徴とするもの。
【請求項３】
請求項１及び２に記載の横支持脛骨プラトーにおいて、
上記関節面支持具（１）が傾斜されること、及び
追加のガイドが、上記関節面支持具（１）の回転を防ぐために設けられること、
を特徴とするもの。
【請求項４】
請求項２又は３に記載の横支持脛骨プラトーにおいて、上記関節面（３）が上記支持ねじ（２）によって上記関節面支持具（１）にも固定されることを特徴とするもの。
【請求項５】
請求項２から４までのいずれか１項に記載の横支持脛骨プラトーにおいて、上記支持ねじ（２）の支持ねじ頭（２１）が、人工膝の摩擦ベアリングを案内又は固定するためのスライド式ガイド（２１１）を有することを特徴とするもの。
【請求項６】
請求項１から５までのいずれか１項に記載の横支持脛骨プラトーにおいて、関節面（３）と関節面支持具（１）との間の接続部（１１，３１）が、角度（β）を成して形成されることを特徴とするもの。
【請求項７】
請求項１から６までのいずれか１項に記載の横支持脛骨プラトーにおいて、ストップ又はスナップイン機構が、上記横支持具（４）上方の略中央に位置を確保することを特徴とするもの。
【請求項８】
請求項２から７までのいずれか１項に記載の横支持脛骨プラトーにおいて、支持ねじ（２）と横支持具（４）との間のねじ接続部（２２，４２）が、上記関節面支持具（１）により直接に設定されることを特徴とするもの。
【請求項９】
請求項２から７までのいずれか１項に記載の横支持脛骨プラトーにおいて、関節面支持具（１）と横支持具（４）との間にプラグイン接続部が形成されることを特徴とするもの。
【請求項１０】
請求項８又は９に記載の横支持脛骨プラトーにおいて、上記関節面支持具（１）が上記関節面（３）に垂直に整合されない場合、これらの形態適合的な接続部が回転安定性を有することを特徴とするもの。
【請求項１１】
請求項１から１０までのいずれか１項に記載の横支持脛骨プラトーにおいて、上記横支持具（４）が側方から導入可能なよう、上記関節面支持具（１）が下端（１２）に凹部（３２２）又はガイドを有することを特徴とするもの。
【請求項１２】
請求項１から１０までのいずれか１項に記載の横支持脛骨プラトーにおいて、上記横支持具（４）が固定のために側方から押し込み可能なよう、上記関節面支持具（１）が下端（１２）に凹部（３２２）又はガイドを有することを特徴とするもの。
【請求項１３】
請求項１２に記載の横支持脛骨プラトーにおいて、上記凹部（３２２）が円形ベアリングとして表されることを特徴とするもの。
【請求項１４】
請求項１１から１３までのいずれか１項に記載の横支持脛骨プラトーにおいて、この配置に関し、上記関節面支持具（１）が上記関節面（３）と共に、関節面ユニット（３２１）を形成することを特徴とするもの。
【請求項１５】
請求項１１から１４までのいずれか１項に記載の横支持脛骨プラトーにおいて、上記接続部が簡易なものとされる場合、ねじ又はボルトが追加のロックのために使用可能であることを特徴とするもの。
【請求項１６】
請求項１から１５までのいずれか１項に記載の横支持脛骨プラトーにおいて、キー面（４１）又はフランジにて対応する補助ツールを使用して上記横支持具をより容易に挿入し得るよう、上記接続部（３２２，４２）が異なる寸法を有することを特徴とするもの。
【請求項１７】
請求項１から１６までのいずれか１項に記載の横支持脛骨プラトーにおいて、上記横支持具（４）が挿入又は整合のためのキー面を有することを特徴とするもの。
【請求項１８】
請求項１から１７までのいずれか１項に記載の横支持脛骨プラトーにおいて、上記横支持具（４）が、脛骨の解剖学的形状に応じて傾斜される端面を有することを特徴とするもの。
【請求項１９】
請求項１から１８までのいずれか１項に記載の横支持脛骨プラトーにおいて、上記横支持具がＵ字形又は円筒状に設計されることを特徴とするもの。
【手続補正２】
【補正対象書類名】明細書
【補正対象項目名】０００３
【補正方法】変更
【補正の内容】
【０００３】
次のことが知られている。前十字靭帯を残す手術では、膝関節を比較的小さくしか開けることができない。このため、十字靭帯をいずれも保存したまま人工膝を埋め込むことは、外科医に更に高い負担を求めることになる。粗面骨切り術による側方アプローチでは、前記関節面支持具を導入するために、更なる腹側皮質への処置は必要でない。しかし、このより頻繁に使用される内側アプローチによる外科手術は、困難かつ複雑である。
【特許文献１】WO 02/41809 A2 (US 7,037,341 B2)
【特許文献２】WO 89/09579 A1
【特許文献３】US 5,092,895 A
【特許文献４】FR 2 630 640
【特許文献５】FR 2 630 639
【特許文献６】EP 0 183 669
【特許文献７】WO 93/22990 A
【手続補正書】
【提出日】平成20年8月13日(2008.8.13)
【手続補正１】
【補正対象書類名】特許請求の範囲
【補正対象項目名】全文
【補正方法】変更
【補正の内容】
【特許請求の範囲】
【請求項１】
調節可能な長さ及び縦長の湾曲部分を有するプレート組立部品において、
このプレート組立部品は、第１縦長プレート及び第２縦長プレートを有し、この第１縦長プレートは、少なくとも２つの間隔をあけた縦長のプロングによって規定された端部を有  その他方の端部が、このプレートを身体構造に固定する手段を有し、
第２縦長プレートは、少なくとも２つの真っ直ぐな縦長孔から構成される端部を有し、  各孔は、１つのプロングを受けるために適合され、その他方の端部が、このプレートを身体構造に固定する手段を有し、
これらのプロングは、プレート組立部品の長さを調節するためにこれらの真っ直ぐな孔内で変位可能であり、かつ観察窓をプロングとプレートとの間に規定し、さらにプレート組立部品は、プレート組立部品の長さを固定するロック機構を有するプレート組立部品。
【請求項２】
調節可能な長さを有する縦長のプレート組立部品及び２つの端部を有する整形外科装置において、
これらの端部の各々は、端部を身体構造に連結するために使用され得、この場合、組立部品は、２つの縦長プレートから構成され、これらの縦長プレートは、複数の位置を通じて互いに長手方向に変位でき、これらの位置のうちの１つの位置で互いに固定され、これによって組立部品の長さを調節可能にし、
これらのプレートのうちの一方のプレートが、少なくとも２つの間隔をあけた縦長プロングによって規定された端部を有し、これらのプレートのうちの他方のプレートが、少なくとも２つの真っ直ぐな縦長孔を有し、これらの縦長孔は、長手方向に変位するプロングを受けるために適合され、観察窓をプロングとプレートとの間に規定し、この場合
さらに組立部品は、プロングをこれらの位置のうちの１つの位置の孔内でロックするロック機構から構成され、この孔は、内面を有し、ロック機構は、プロングを内面に対して押圧する整形外科装置。
【請求項３】
請求項２に記載のプレート組立部品を骨の骨折箇所にわたって取り付けることによって少なくとも２つの骨片を骨折箇所にわたって取り付ける方法において、
第１縦長プレートが、骨折箇所の片側の骨の上にあり、第２縦長プレートが、骨折箇所の上側の骨の上にあるように、プレート組立部品を骨の骨折箇所の上に配置し、
第１縦長プレートを骨の上に取り付け、
第２縦長プレートを移動させてプロングを骨から変位させ、そしてこの第２縦長プレートを骨折箇所の他方の側面上の骨に取り付け、
第１縦長プレートのプロングを第２縦長プレートの孔内に挿入し、間隔をあけたプロングによって形成された窓を通じて骨折箇所を観察する間に、これらのプロングを孔を通じて変位させて２つの骨片を骨折箇所で一緒にし、
これらのプロングを骨内でロックして、プレートの長さ及び骨折箇所の骨の位置を固定することから成る方法。
【請求項４】
骨プレート組立部品用の縦長プレートにおいて、
この縦長プレートは、上面，下面，前側面，後側面，第１端部，第２端部，ロッド孔の壁によって規定された１つ以上のロッド孔，第２端部から第１端部と第２端部との間の地点にかけて長手方向に延在するロッド孔端部及び骨ネジ孔の壁によって規定される１つ以上の骨ネジ孔を有する縦長プレート。
【請求項５】
骨プレート組立部品用の中央プレートにおいて、
この中央プレートは、上面，底面，前方縦長側面，後方縦長側面，第１端部，第２端部，少なくともロッド孔の壁によって規定された２つ以上のロッド孔及び骨ネジ孔の壁によって規定された２つ以上の骨ネジ孔から構成される中央プレート。
【請求項６】
骨プレート組立部品は：
ａ）上面を有する１つ以上の縦長プレート，下面，前側面，後側面，第１端部，第２端部，ロッド孔の内壁によって規定される１つ以上のロッド孔，第２端部から第１端部と第２端部との間の地点にかけて長手方向に延在するロッド孔端部，骨ネジ孔の壁によって規定された１つ以上の骨ネジ孔及びオプションで第２端部にスリット開口部を有するスリットを備え、このスリットは、スリット上壁によって規定され、このスリット上壁は、スリット開口部から縦長プレートの第２端部と第１端部との間の地点にかけて長手方向に延在し、スリット及びスリット下壁を備え、このスリット下壁は、スリット開口部から縦長プレートの第２端部と第１端部との間の地点にかけて長手方向に延在し、
ｂ）１つ以上の連結ロッドを備え、
ｃ）１つ以上の観察窓を備える骨プレート組立部品。
【請求項７】
ａ）少なくとも２つの縦長プレートを提供し、各縦長プレートは、上面，下面，前側面，後側面，第１端部，第２端部，ロッド孔の壁及びロッド孔端部によって規定された２つ以上のロッド孔，骨ネジ孔の壁によって規定された１つ以上の骨ネジ孔，オプションで第２端部にスリット開口部を有するスリット，スリット及びスリット下壁を備え、このスリットは、スリット上壁によって規定され、このスリット上壁は、スリット開口部から縦長プレートの第２端部と第１端部との間の地点にかけて長手方向に延在し、スリット下壁は、スリット開口部から縦長プレートの第２端部と第１端部との間の地点にかけて延在し、この場合、縦長プレートのうちの少なくとも１つの縦長プレートが、ロック手段孔の壁によって規定されたロック手段孔を有し、
ｂ）２つ以上の連結ロッドを提供し、
ｃ）第１縦長プレートの骨ネジ孔のうちの１つに骨ネジを螺入させ、この骨ネジを骨に連結することによって、この第１縦長プレートを骨折した骨の一方の側に固定し、
ｄ）第２縦長プレートを患者の骨折した骨の他方の側に配置し、
ｅ）連結ロッドを第１縦長プレート，第２縦長プレート又はこれらの組み合わせたもののロッド孔に挿入して変位させ、
ｆ）第２縦長プレートの骨ネジ孔のうちの１つに骨ネジを螺入させ、この骨ネジを骨に連結することによって、第２縦長プレートを骨に固定し、
ｇ）１つ以上の観察窓を通じて骨折した骨片の位置を観察している間に、縦長プレートを移動させ、
ｈ）ロック手段を提供し、
ｉ）ロック手段をロック手段孔に挿入して変位させてロック手段を作動させるステップから成る骨折した骨を据える方法。
【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
電気式喫煙システム用の電気加熱式シガレットであって、
少なくとも１つの吸着剤と、
少なくとも１つの香味料を含む香味料放出添加剤と、を有し、
前記少なくとも１つの香味料は、少なくとも最低温度まで加熱されたときに前記電気加熱式シガレット内で放出可能であり、
前記吸着剤がクレープカーボン紙を含み、前記クレープカーボン紙が、前記電気加熱式シガレットのフィルタ内に配置されたポリプロピレンスリーブ内に配置される、電気加熱式シガレット。
【請求項２】
前記香味料放出添加剤は、タバコプラグを囲むタバコマット内に配置される、請求項１に記載の電気加熱式シガレット。
【請求項３】
前記タバコプラグは香味料放出添加剤を有しない、請求項２に記載の電気加熱式シガレット。
【請求項４】
前記香味料放出添加剤は、前記タバコマット内に組み込まれたベータシクロデキストリンを含む包接錯体を有する、請求項３に記載の電気加熱式シガレット。
【請求項５】
前記香味料放出添加剤は、非メントール香味料を含む、請求項４に記載の電気加熱式シガレット。
【請求項６】
前記香味料放出添加剤は、前記タバコマット内に組み込まれた多段乾燥粉末を含む、請求項２に記載の電気加熱式シガレット。
【請求項７】
前記香味料放出添加剤は、メントール香味料を含む、請求項６に記載の電気加熱式シガレット。
【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
胚性幹（ＥＳ）細胞を作製する方法であって、胚から得られる割球を培養するステップであり、胚が生存し続けるステップを含む方法。
【請求項２】
割球が、桑実胚のコンパクションに先立って胚から得られる請求項１に記載の方法。
【請求項３】
割球が、胚由来細胞と一緒に培養される請求項１に記載の方法。
【請求項４】
割球を培養してＥＳ細胞を作製するステップ中に、組換えＯｃｔ−４が割球中に導入されるか、又は内因性Ｏｃｔ−４が割球内で活性化される請求項１に記載の方法。
【請求項５】
割球が、細胞分裂を起こし、１つの子孫細胞が、遺伝子検査に使用され、異なる子孫細胞が、ＥＳ細胞を作製するのに使用される請求項１に記載の方法。
【請求項６】
ＥＳ細胞を作製する方法であって、
（ａ）胚から割球を得るステップであり、胚が生存し続けるステップと、
（ｂ）割球をＥＳ細胞と一緒に凝集させるステップと、
（ｃ）凝集した割球及びＥＳ細胞を割球がＥＳ細胞の特性を示すまで培養するステップと、
（ｄ）割球に由来するＥＳ細胞を単離するステップと
を含む方法。
【請求項７】
請求項１に記載の方法により作製されるＥＳ細胞。
【請求項８】
請求項７に記載のＥＳ細胞に由来する分化した細胞又は組織。
【請求項９】
所望の分化した細胞又は組織を作製する方法であって、胚から得られる割球を培養するステップであり、胚が生存し続けるステップと、割球の分化を誘発し所望の細胞又は組織を作製するステップとを含む方法。
【請求項１０】
請求項９に記載の方法により作製される分化した細胞又は組織。
【請求項１１】
請求項７に記載のＥＳ細胞又は請求項８若しくは１０に記載の分化した細胞若しくは組織、及び薬学的に許容できる媒体又は担体を含む医薬組成物。
【請求項１２】
栄養芽層幹（ＴＳ）細胞を作製する方法であって、胚から得られる割球を培養するステップであり、胚が生存し続けるステップを含む方法。
【請求項１３】
ＴＳ細胞を作製する方法であって、
（ａ）胚から割球を得るステップであり、胚が生存し続けるステップと、
（ｂ）割球をＥＳ細胞と一緒に凝集させるステップと、
（ｃ）割球から増殖体を得るステップであり、増殖体が栄養芽層又は胚外内胚葉細胞の特性を示すステップと、
（ｄ）増殖体をＦＧＦ−４と接触させてＴＳ細胞を作製するステップと、
（ｅ）割球に由来するＴＳ細胞を単離するステップと
を含む方法。
【請求項１４】
請求項１３に記載の方法により作製されるＴＳ細胞。
【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
プラズマ加工システムあって、
電極と、
ＲＦ電力サブシステムと前記電極との間にＲＦ伝導通路を提供するように設計されたＲＦ伝導通路構造部と、
導電材料で形成されたスイッチ構造体であって、該スイッチ構造体と前記ＲＦ伝導通路構造部は互いに２つの相対位置を有しており、その第１相対位置は前記電極にアースを提供するように前記ＲＦ伝導通路構造部と電気的にカップリングしている前記スイッチ構造体で特徴付けられており、その第２相対位置は前記ＲＦ伝導通路から電気的に脱カップリングしている前記スイッチ構造体で特徴付けられているスイッチ構造体と、
前記スイッチ構造体と前記ＲＦ伝導通路構造部との間に配置されるように設計された絶縁構造部と、
前記絶縁構造部を移動させるように設計されたアクチュエータと、
前記電極から熱を奪い、前記アクチュエータを物理的に支持するように設計されたヒートシンクと、
を含んでいることを特徴とするプラズマ加工システム。
【請求項２】
ヒートシンクと電極との間でアースを提供する接地構造部をさらに含んでいることを特徴とする請求項１記載のプラズマ加工システム。
【請求項３】
スイッチ構造体は第１相対位置でＲＦ伝導通路構造部と物理的に接触するように設計された複数のバイアス指部を含んでいることを特徴とする請求項１記載のプラズマ加工システム。
【請求項４】
スイッチ構造体はＢｅＣｕ製であることを特徴とする請求項１記載のプラズマ加工システム。
【請求項５】
アースを提供する接地構造部とカップリングした第２絶縁構造部をさらに含んでおり、該第２絶縁構造部は前記接地構造部と電極との間に配置されていることを特徴とする請求項１記載のプラズマ加工システム。
【請求項６】
絶縁構造部はセラミック製であることを特徴とする請求項１記載のプラズマ加工システム。
【請求項７】
絶縁構造部はポリイミド熱可塑性材料製であることを特徴とする請求項１記載のプラズマ加工システム。
【請求項８】
スイッチ構造体、絶縁構造部およびＲＦ伝導通路構造部は環状であることを特徴とする請求項１記載のプラズマ加工システム。
【請求項９】
絶縁構造部はプラスチック製であることを特徴とする請求項１記載のプラズマ加工システム。
【請求項１０】
アクチュエータは空気圧アクチュエータであることを特徴とする請求項１記載のプラズマ加工システム。
【請求項１１】
アクチュエータは、プラズマ加工のために基板がプラズマ加工システム内に配置されると該基板と垂直な線と平行に絶縁構造部を移動させるように設計されていることを特徴とする請求項１記載のプラズマ加工システム。
【請求項１２】
ＲＦ電源の出力部とアースとの間でカップリングされたフィルター構造部をさらに含んでおり、該フィルター構造部はＲＦ伝導通路に提供された複数のＲＦ信号の信号を選択的に排除するように設計されていることを特徴とする請求項１記載のプラズマ加工システム。
【請求項１３】
電極とは上方電極であることを特徴とする請求項１記載のプラズマ加工システム。
【請求項１４】
スイッチ構造体がＲＦ伝導通路構造部に対して第２相対位置に存在するなら、電極はプラズマ加工時に複数の周波数を有した複数のＲＦ信号でエネルギー付与されるように設計されていることを特徴とする請求項１記載のプラズマ加工システム。
【請求項１５】
容量結合プラズマ加工システムであることを特徴とする請求項１記載のプラズマ加工システム。
【請求項１６】
複数の周波数は２ＭＨｚ周辺、２７ＭＨｚ周辺および６０ＭＨｚ周辺を含むことを特徴とする請求項１記載のプラズマ加工システム。
【請求項１７】
スイッチ構造体はヒートシンクとＲＦ伝導通路構造部との間に配置されていることを特徴とする請求項１記載のプラズマ加工システム。

【手続補正２】
【補正対象書類名】明細書
【補正対象項目名】０００１
【補正方法】変更
【補正の内容】
【０００１】
本発明は、プラズマ加工システムのＲＦアーススイッチに関するものである。
【手続補正３】
【補正対象書類名】明細書
【補正対象項目名】００２０
【補正方法】変更
【補正の内容】
【００２０】
上方電極２０２はＲＦ電源２１０（ＲＦ源２１２及びＲＦ整合２１４を含む）にＲＦ伝導通路構造部２２０により接続されている。ＲＦ伝導通路構造部２２０は例えばアルミ製である。環状スイッチ構造体２４０は接地部２０４（伝導部２４２を介して）と上方電極２０２（ＲＦ伝導通路構造部２２０の使用を介して）の間に選択的接地を提供すべく提供される。そのデフォルト位置で環状スイッチ構造体２４０の指部は、通電状態を提供するように指部がＲＦ伝導電通路構造部２２０に対して押圧するように形状化される。従ってアース通路は上方電極２０２と接地部２０４（ＲＦ伝導通路２２０及び伝導部２４２を介して）の間に存在する。環状スイッチ構造体２４０は環状であるため、個々の指部は環状スイッチ構造体の周辺に沿って接地され、非常に効果的なアース通路を提供すべくＲＦ伝導通路構造部２２０との最大通電状態を提供する。指部の数は可変であり、２、３個から、数十個、数百個の指部数であり得る。
【手続補正４】
【補正対象書類名】明細書
【補正対象項目名】００２４
【補正方法】変更
【補正の内容】
【００２４】
１実施例においては絶縁部２５０はウルテム（ＵＬＴＥＭ）のごときプラスチック材料製である。しかし高レベルＲＦエネルギーに耐えられる高誘電強度を有したどのような材料でも構わない。好適にはキャパシタンスを最小化するために絶縁部２５０の絶縁材料は相対的に低い誘電率を有している。例えば、特定種のセラミックまたは他の非導電材料も利用できる。
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
動作層を有する半導体ウエハをダイシングする方法であって、
ａ．前記半導体ウエハを、前記動作層をキャリアから離した状態でキャリアの上に搭載するステップと、
ｂ．前記キャリア上の前記半導体ウエハを、前記半導体ウエハの主表面から少なくとも途中までダイシングすることにより、少なくとも途中までダイシングした半導体ウエハを形成するステップと、
ｃ．前記キャリア上の前記少なくとも途中までダイシングした半導体ウエハを、自然エッチング剤を用いて前記主表面からエッチングすることにより、前記少なくとも途中までダイシングされた半導体ウエハから製造されるダイから十分な半導体材料を除去し、前記ダイのたわみ曲げ強度を向上させ、該エッチングでは、前記ダイの側壁をエッチングし、前記ダイの残りの部分はダイ上の前記動作層の部分によって前記自然エッチング剤からマスクされているステップと、
からなる半導体ウエハのダイシング方法。
【請求項２】
請求項１に記載のダイシング方法であって、
前記半導体ウエハを少なくとも途中までダイシングするステップにおいては、前記半導体ウエハを完全に貫くように前記半導体ウエハをダイシングする
ことを特徴とするダイシング方法。
【請求項３】
請求項１に記載のダイシング方法であって、
前記半導体ウエハを少なくとも途中までダイシングするステップにおいては、前記半導体ウエハをダイシングレーンに沿って途中までダイシングすることにより、半導体物質の前記ダイシングレーンを橋渡しする部分を残し、
前記半導体ウエハをエッチングするステップにおいては、前記ダイシングレーンの側壁をエッチングし、また、ダイシングレーンを橋渡しする半導体物質の前記部分をエッチングにより取り除くことにより、ダイを単離する、
ことを特徴とするダイシング方法。
【請求項４】
請求項１〜３のいずれか一項に記載のダイシング方法であって、前記半導体ウエハがシリコンウエハであることを特徴とするダイシング方法。
【請求項５】
請求項１〜４のいずれか一項に記載のダイシング方法であって、
前記自然エッチング剤を用いてエッチングするステップにおいては、エッチングチャンバを備え、前記半導体ウエハを前記エッチングチャンバ内でエッチングする、
ことを特徴とするダイシング方法。
【請求項６】
請求項５に記載のダイシング方法であって、
前記エッチングチャンバ内で自然エッチング剤を用いてエッチングするステップは、複数のサイクル回数にわたり、循環的に前記チャンバに自然エッチング剤を供給しまた前記エッチングチャンバから自然エッチング剤を排出する、
ことを特徴とするダイシング方法。
【請求項７】
請求項５に記載のダイシング方法であって、
前記エッチングチャンバ内で自然エッチング剤を用いてエッチングするステップは、連続的なプロセスとして実行されることを特徴とするダイシング方法。
【請求項８】
動作層を有する半導体ウエハをダイシングするためのダイシング装置であって、
ａ．前記半導体ウエハを搭載することのできるキャリア手段で、前記動作層を前記キャリア手段から離して搭載することができるキャリア手段と、
ｂ．前記キャリア手段上の前記半導体ウエハを前記半導体ウエハの主表面から少なくとも途中までダイシングして、少なくとも途中までダイシングした半導体ウエハを形成するように配列されたレーザあるいは機械的ソー手段と、
ｃ．前記キャリア手段上の前記少なくとも途中までダイシングされた半導体ウエハを、外部エネルギー源を用いることなく、二フッ化キセノンの解離により形成される自然エッチング剤を用いて前記主表面からエッチングし、該エッチングでは、前記ダイの残りの部分はダイ上の前記動作層の部分によって前記自然エッチング剤からマスクされて前記ダイの側壁がエッチングされることにより、前記少なくとも途中までダイシングされた半導体ウエハから製造されるダイから十分な半導体材料を除去し、前記ダイのたわみ曲げ強度を向上するように配列されたエッチング手段と、
を有することを特徴とするダイシング装置。
【請求項９】
請求項８に記載のダイシング装置であって、前記ダイシング装置はシリコンウエハをダイシングするように配列されていることを特徴とするダイシング装置。
【請求項１０】
請求項８、９のいずれか一項に記載のダイシング装置であって、前記キャリア手段に搭載された前記半導体ウエハをエッチングチャンバ内でエッチングするように配列されたエッチングチャンバを更に有することを特徴とするダイシング装置。
【請求項１１】
請求項８、９のいずれか一項に記載のダイシング装置であって、前記エッチングチャンバは、複数のサイクル回数にわたり、巡回的に前記チャンバに自然エッチング剤を供給しまた前記エッチングチャンバから自然エッチング剤を排出するように配列されていることを特徴とするダイシング装置。
【請求項１２】
請求項８〜１１のいずれか一項に記載のダイシング装置であって、
前記エッチング手段は、連続的なプロセスとしてエッチングを実行するように配列することを特徴とするダイシング方法。
【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
アプリケータの表面上にナノ物質を付置するステップと、
前記アプリケータの前記表面を、第一電極を含む基板に接触させ、それにより前記ナノ物質の少なくとも一部を前記基板に転写するステップと、
前記第一電極に向かい合わせて第二電極を配置するステップと
を含む、デバイス形成方法。
【請求項２】
前記アプリケータの前記表面が、隆起部又は窪み部を含むパターンを含む、請求項１記載の方法。
【請求項３】
前記ナノ物質が、複数の半導体ナノクリスタルを含む、請求項１〜２のいずれか１項記載の方法。
【請求項４】
前記複数の半導体ナノクリスタルが、前記基板上に層を形成する、請求項１〜３のいずれか１項記載の方法。
【請求項５】
前記層が、半導体ナノクリスタルの多層である、請求項４記載の方法。
【請求項６】
前記層が、半導体ナノクリスタルの部分単層である、請求項４記載の方法。
【請求項７】
さらに、前記アプリケータの前記表面上に前記ナノ物質を付置する前に、前記アプリケータの前記表面を改質するステップを含む、請求項１〜６のいずれか１項記載の方法。
【請求項８】
さらに、第二アプリケータの表面上に第二ナノ物質を付置するステップと、
前記第二アプリケータの前記表面を前記基板に接触させ、それにより前記ナノ物質の少なくとも一部を前記基板に転写するステップと
を含む、請求項１〜７のいずれか１項記載の方法。
【請求項９】
前記第一ナノ物質と前記第二ナノ物質とが、それぞれ独立して、複数の半導体ナノクリスタルを含む、請求項８記載の方法。
【請求項１０】
前記第一の複数の半導体ナノクリスタルが、前記第二の複数の半導体ナノクリスタルから区別可能な発光波長を有する、請求項９記載の方法。
【請求項１１】
さらに、第三アプリケータの表面上に第三の複数の半導体ナノクリスタルを付置するステップと、
前記第三のアプリケータの前記表面を前記基板に接触させ、それにより前記第三の複数の半導体ナノクリスタルの少なくとも一部を前記基板に転写するステップと
を含む、請求項１０記載の方法。
【請求項１２】
前記第三の複数の半導体ナノクリスタルが、前記第一の複数の半導体ナノクリスタルから区別可能であり、且つ前記第二の複数の半導体ナノクリスタルから区別可能である発光波長を有する、請求項１１記載の方法。
【請求項１３】
前記第一、第二、及び第三の複数の半導体ナノクリスタルが、前記基板の重なり合わない事前定義領域内に塗布される、請求項１０〜１２のいずれか１項記載の方法。
【請求項１４】
前記第一、第二、及び第三の複数の半導体ナノクリスタルの発光波長が、紫外、青色、緑色、黄色、赤色、又は赤外発光波長、或いはそれらの組合せから選択される、請求項１０〜１３のいずれか１項記載の方法。
【請求項１５】
アプリケータが、回転可能なドラムに取り付けられている、請求項１〜１４のいずれか１項記載の方法。
【請求項１６】
第一電極と、
前記第一電極に向かい合わされた第二電極と、
前記第一電極と前記第二電極との間に配置された半導体ナノクリスタルの単層を含む事前定義領域と
を含む、請求項１〜１５のいずれか１項記載の方法によって製造される発光デバイス。
【請求項１７】
請求項１６記載の発光デバイスを含むディスプレイ。
【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
燃料電池スタックであって、
（ａ）少なくとも１つの電気化学的カセットであって、
少なくとも２つのプレートと接触するように適合された少なくとも１つの膜電極接合体であって、各プレートが、１つまたは２つ以上の流動場を含み、該流動場のそれぞれが、少なくとも１つの溝を含み、前記流動場が、酸化剤流動場、燃料流動場、および冷却剤流動場からなる群から選択される、前記膜電極接合体を含み、
各膜電極接合体および各プレートが、少なくとも１つの酸化剤マニホルド開口と、少なくとも１つの燃料マニホルド開口とを含み、各マニホルド開口が、カセットの厚さを貫通して延びており、
各プレートが、少なくともその厚さの一部分を通過して延びる、少なくとも１つのシール材チャネルを有し、
前記１つまたは２つ以上の膜電極接合体およびプレートが組み立てられて、その周囲のまわりをシール材によってカプセル化され、
前記シール材が、前記１つまたは２つ以上のプレートの、それぞれのチャネルを同時にシールし、材料を特定の流動場に配送することを意図しない反応物マニホルド開口を選択的に阻止する、電気化学的カセットと、
（ｂ）反応物マニホルド開口（単数または複数）と位置合わせされた、１つまたは２つ以上の開口を有する、２つのエンドプレートと、
ここにおいて、前記エンドプレートが、１つまたは２つ以上の電気化学的カセットのスタックの、上端および下端に組み付けられ、その結果、前記エンドプレートの開口が、燃料マニホルド開口、酸化剤開口、および任意選択で冷却剤マニホルド開口と位置合わせされており、さらに、
（ｃ）カプセル化された１つまたは２つ以上の電流コレクタをさらにその中に含む、
および／または
（ｄ）燃料、酸化剤、および任意選択で冷却剤の流れに対する吸入ポートおよび排出ポートを提供するように適合された一体化チューブ取り付け具をさらに含む、
前記燃料電池スタック。
【請求項２】
電気化学的カセットの、各膜電極接合体および各プレートが、少なくとも１つの冷却剤マニホルド開口をさらに含み、各冷却剤マニホルド開口が、カセットの厚さを貫通して延びる、請求項１に記載の燃料電池スタック。
【請求項３】
電気化学的カセットの、各プレートが、ゼロまたは１つの酸化剤流動場を有するとともに、ゼロまたは１つの燃料流動場を有する、請求項１に記載の燃料電池スタック。
【請求項４】
電気化学的カセットの、各膜電極接合体が、燃料流動場および酸化剤流動場と接触する、請求項１に記載の燃料電池スタック。
【請求項５】
カプセル化された電流コレクタのそれぞれが、燃料電池スタックの内部にあるエンドプレートの一部分上に位置する、請求項１〜４のいずれかに記載の燃料電池スタック。
【請求項６】
電流コレクタが１種または２種以上の導電性材料を含む、請求項５に記載の燃料電池スタック。
【請求項７】
導電性材料が金および銅からなる群から選択される、請求項６に記載の燃料電池スタック。
【請求項８】
金の上に銅を塗布して、複合材カプセル化電流コレクタを形成する、請求項７に記載の燃料電池スタック。
【請求項９】
一体化チューブ取り付け具がシリコーンで構成されている、請求項１〜８のいずれかに記載の燃料電池スタック。
【請求項１０】
一体化チューブ取り付け具のそれぞれが、前記エンドプレートに近接するその下方部分にシールリッジを有する一体チューブを含み、前記シールリッジは、スタックが圧縮され、かつそれにシール材が導入されるときにエンドプレートに接着する、請求項１〜８に記載の燃料電池スタック。
【手続補正書】
【提出日】平成20年9月19日(2008.9.19)
【手続補正１】
【補正対象書類名】特許請求の範囲
【補正対象項目名】全文
【補正方法】変更
【補正の内容】
【特許請求の範囲】
【請求項１】
放熱部品を冷却するための物品であって：
密閉容積を画定するために協働する、少なくとも１つの側壁と破壊可能なシールとを含み、前記破壊可能なシールが前記密閉容積に近接する内面、及び外面を有する本体と；
前記密閉容積内に入れられたある量の伝熱流体とを含む、物品。
【手続補正２】
【補正対象書類名】明細書
【補正対象項目名】００３２
【補正方法】変更
【補正の内容】
【００３２】
ある実施形態においては、伝熱流体は、熱伝導性、化学的不活性、実質的にガスを非含有、および熱安定性である。別の実施形態においては、放熱部品に隣接する流体部分が熱伝導時に蒸発するように、放熱部品の動作温度以下の沸点を伝熱流体が有する。伝熱流体は、フッ素化された線状、分岐、または環状のアルカン、エーテル、ケトン、第３級アミン、およびアミノエーテル、ならびにそれらの混合物の代表的な種類から選択することができる。ある実施形態においては、パーフルオロ化流体が本発明において使用されるが、部分フッ素化流体を使用することもできる。パーフルオロ化流体は、直鎖、分岐鎖、環状、またはそれらの組み合わせであってよい。ある実施形態においては、パーフルオロ化流体は、飽和したものであってよく、すなわち、エチレン系、アセチレン系、および芳香族の不飽和が存在しないものであってよい。その骨格鎖は、フルオロカーボン基の間に安定な結合を提供し、その化合物の不活性特性には影響を与えないカテナリー酸素および／または三価窒素ヘテロ原子を含むことができる。ある実施形態においては、隔離または非隔離のいずれかでハイドロフルオロエーテルが使用される。別の実施形態においては、パーフルオロ化ケトンが使用される。